(57)【要約】  【課題】買掛金の残高管理を行う取引先と、代金を支払う取引先とが異なる場合に於ても支払処理と残高管理を容易にする。  【解決手段】コンピュータに搭載し作動させて商品の仕入れに関する取引先を管理すると共に、取引明細を作成し、且つ、残高管理する仕入管理アプリケーションソフト２８であって、該仕入管理アプリケーションソフト２８は、仕入取引を行う取引先を管理する仕入先マスタを作成し、更新する仕入先マスタ作成・更新手段３４，３５と、買掛金の残高管理を行う取引先を管理する支払先マスタを作成し、更新する支払先マスタ作成・更新手段３６，３７と、代金の支払を行う取引先を管理するまとめ支払先マスタを作成し、更新するまとめ支払先マスタ作成・更新手段３８，３９とを備えている。【選択図】図２
2005174259.tif 000002
【特許請求の範囲】
【請求項１】
コンピュータに搭載し作動させて商品の仕入れに関する取引先を管理すると共に、取引明細を作成し、且つ、残高管理する仕入管理アプリケーションソフトであって、該仕入管理アプリケーションソフトは、仕入取引を行う取引先を管理する仕入先マスタを作成し、更新する仕入先マスタ作成・更新手段と、買掛金の残高管理を行う取引先を管理する支払先マスタを作成し、更新する支払先マスタ作成・更新手段と、代金の支払を行う取引先を管理するまとめ支払先マスタを作成し、更新するまとめ支払先マスタ作成・更新手段とを備え、該仕入管理アプリケーションソフトをコンピュータに搭載して作動させることにより、該仕入先管理アプリケーションソフトは該仕入先マスタ、支払先マスタ及びまとめ支払先マスタを作成し、該マスタを用いて、商品の仕入れに関する取引先を管理すると共に、取引明細を作成し、且つ、残高管理を行うように構成されていることを特徴とする仕入管理アプリケーションソフト。
【請求項２】
請求項１記載の仕入管理アプリケーションソフトを格納していることを特徴とする記憶媒体。
【請求項３】
請求項１記載の仕入管理アプリケーションソフトを搭載し作動させて、仕入先マスタ、支払先マスタ及びまとめ支払先マスタを作成し、更新することにより仕入関係の取引先を管理すると共に、該仕入先マスタ、支払先マスタ及びまとめ支払先マスタを用いて、取引明細を作成し、且つ、残高管理を行うように構成されていることを特徴とするコンピュータ。
【発明の詳細な説明】
【技術分野】
【０００１】
本発明は、仕入管理アプリケーションソフト、該ソフトを格納する記憶媒体、及び、該ソフトを搭載するコンピュータに関するものであり、特に、コンピュータに搭載されて仕入関係の取引を管理するアプリケーションソフトであって、買掛金の残高管理を行う取引先と、代金を支払う取引先とが異なる場合に於ても買掛金の残高管理と代金支払処理とを容易にする仕入管理アプリケーションソフト、該ソフトを格納する記憶媒体、及び、該ソフトを搭載するコンピュータに関するものである。
【背景技術】
【０００２】
従来、此種仕入関係の取引を管理する仕入管理アプリケーションソフトや、該ソフトを格納する記憶媒体、及び、該ソフトを搭載するコンピュータは種々知られており、その一例を図７乃至図１２に従って説明する。
【０００３】
図７に於て、１は仕入管理を行うために用いられるコンピュータであり、該コンピュータ１はＣＰＵ（中央演算装置）２を内蔵し、該ＣＰＵ２に入出力制御手段３を介してディスプレイ等の表示手段４、キーボード等の入力手段５及びプリンター等の出力手段６が接続され、又、該ＣＰＵ２に適宜入出力制御手段を介してハードディスク等の記憶手段７が接続されている。
【０００４】
該記憶手段７には後述する仕入管理アプリケーションソフト８等のアプリケーションソフト９が搭載され、且つ、該仕入管理アプリケーションソフト８で作成される仕入関係取引先マスタ１０等のマスタ群１１等が格納される。
【０００５】
そして、前記コンピュータ１は前記仕入管理アプリケーションソフト８を作動させると、前記仕入関係取引先マスタ１０が作成されると共に、該仕入管理アプリケーションソフト８によって仕入管理の処理を行うことができるように構成されている。この処理は前記表示手段４で表示されると共に、前記入力手段５によって入力操作され、前記出力手段６によって印刷等が可能である。
【０００６】
又、前記仕入関係取引先マスタ１０は図８に示す如く仕入取引を行う取引先を管理する取引先マスタ１２と、代金の支払いを行う取引先を管理する振込情報マスタ１３とから成る。
【０００７】
更に、前記仕入管理アプリケーションソフト８は図９に示す如く前記取引先マスタ１２を作成、更新する取引先アプリケーションソフト１４と、前記振込情報マスタ１３を作成、更新する振込情報アプリケーションソフト１５と、取引明細を作成する取引明細アプリケーションソフト１６と、買掛金の残高管理を行う残高管理アプリケーションソフト１７とを備えている。
【０００８】
そして、前記取引先アプリケーションソフト１４は前記取引先マスタ１２を作成する取引先マスタ作成手段１８と、該取引先マスタ１２を更新する取引先マスタ更新手段１９とを備え、前記振込情報アプリケーションソフト１５は前記振込情報マスタ１３を作成する振込情報マスタ作成手段２０と、該振込情報マスタ１３を更新する振込情報マスタ更新手段２１とを備え、前記取引明細アプリケーションソフト１６は取引明細作成手段２２を備え、前記残高管理アプリケーションソフト１７は残高管理手段２３を備えている。
【０００９】
図１０（ａ）は前記取引先マスタ作成手段１８によって作成され、前記取引先マスタ更新手段１９によって更新される前記取引先マスタ１２のレイアウト及びそのデータ例を示し、項番順に１．仕入先コード、２．仕入先名称情報、３．仕入先住所情報等の情報が格納され、データとして、前記項番に夫々「００１」、「Ａ商事」、「品川区」が入力されている。
【００１０】
図１０（ｂ）は前記振込情報マスタ作成手段２０によって作成され、前記振込情報マスタ更新手段２１によって更新される前記振込情報マスタ１３のレイアウト及びそのデータ例を示し、項番順に１．取引先コード、２．振込情報等の情報が格納され、データとして、前記項番に夫々「００１」、「品川銀行」が入力されている。
【００１１】
図１１（ａ）は購買取引が行われた時の前記取引明細作成手段２２によって作成される取引明細のレイアウト及びそのデータ例を示し、項番順に１．伝票Ｎｏ、２．取引先コード、３．データ区分、４．金額、５．取引日付の情報が格納され、データとして、前記項番に夫々「１０００」、「００１」、「仕入」、「１００，０００」、「２００４／１／２０」が入力されている。
【００１２】
図１１（ｂ）は支払いが行われた時の前記取引明細作成手段２２によって作成される取引明細のレイアウト及びそのデータ例を示し、前記項番に夫々「１００１」、「００１」、「支払」、「４０，０００」、「２００４／２／１０」が入力されている。
【００１３】
そして、図１１（ａ）に示した取引明細が作成されると、特定の時点、例えば、２００４／２／１０時点で、該取引明細に基づき、前記残高管理手段２３によって支払い予定が、１００，０００円と処理され、支払処理が行われる。
【００１４】
又、同図（ｂ）に示した支払の取引明細が追加されると、特定の時点、例えば、２００４／２／２０時点で、該取引明細に基づき、前記残高管理手段２３によって残高計算が行われる。即ち、前述した伝票Ｎｏ「１０００」と、伝票Ｎｏ「１００１」は取引先コードが同じ「００１」であるので、前記データ区分に従って１００，０００円−４０，０００円＝６０，０００円と計算され、取引先コード「００１」の残高は６０，０００円となる。
【００１５】
図１２は前述した仕入管理処理を行うための処理フローを示し、該処理フローに従って説明すると、まず、コンピュータ１の操作者が該コンピュータ１に前記仕入管理アプリケーションソフト８がインストールされているかどうかを判断し（ステップＳ１）、インストールされていない場合は、該仕入管理アプリケーションソフト８をインストールすると（ステップＳ２）、該インストールによって前記取引先マスタ１２、振込情報マスタ１３が作成される（ステップＳ３）。
【００１６】
そして、該取引先マスタ１２、振込情報マスタ１３が作成されると、又は、ステップＳ１に於て前記仕入管理アプリケーションソフト８がインストールされている場合は、次に操作者が前記マスタ１２，１３の入力、更新を行うかどうかを判断し（ステップＳ４）、マスタのデータ入力、更新を行う場合はその処理を行う（ステップＳ５）。
【００１７】
更に、該処理が終了した時、又は、ステップＳ４に於てマスタの入力、更新を行わない場合は操作者が取引明細を作成するかどうかを判断し（ステップＳ６）、取引明細を作成する場合はその処理を行い（ステップＳ７）、該処理が終わった時、又は、前記ステップ６で取引明細を作成しない場合は、次に操作者が残高管理を行うかどうかを判断し（ステップＳ８）、残高管理を行う場合は、該取引明細に基づき残高管理を行う（ステップＳ９）。該残高管理が完了し、或いは、前記ステップＳ８で残高管理を行わない選択をした場合は全体の処理を終了する。そして、前述の処理は操作者の判断によって適宜繰り返して行われる。
【００１８】
又、例えば、特許文献１にも仕入管理方法が記載されており、該仕入管理方法はコンピュータの表示画面を分割して、発注残一覧表と仕入一覧表入力欄が同時に表示され、発注残一覧表における発注データを選択すると選択された発注データが自動的に仕入一覧表入力欄に転記表示され、転記表示された発注データに基づき、仕入伝票データが自動作成されるものである。
【特許文献１】特開２００２−１０９４４７号公報
【発明の開示】
【発明が解決しようとする課題】
【００１９】
前述した仕入管理を行うために用いられるコンピュータは取引先マスタと振込み情報マスタとを使って取引明細を作成し、更に、残高管理を行うシステムであるが、このシステムに於ては買掛金の残高管理を行う取引先と、代金を支払う取引先が同一であることが前提になっている。
【００２０】
従って、残高管理を行うためには、同一取引先で買掛金の増加（仕入）と買掛金の減少（支払）をシステムが管理しなければならないが、買掛金の増加の取引先と買掛金の減少の取引先が異なった場合に、システムの処理が複雑になるという問題があった。
【００２１】
尚、特許文献１は仕入伝票データを自動作成するものであり、前述した買掛金の増加の取引先と買掛金の減少の取引先が異なった場合に、システムの処理を容易にするものではない。
【００２２】
そこで、買掛金の増加の取引先と買掛金の減少の取引先が異なった場合、即ち、買掛金の残高管理を行う取引先と、代金を支払う取引先とが異なる場合に於ても債務残高管理と代金支払処理とを容易にするために解決すべき技術的課題が生じてくるのであり、本発明はこの課題を解決することを目的とする。
【課題を解決するための手段】
【００２３】
本発明は上記目的を達成するために提案されたものであり、請求項１記載の発明は、  コンピュータに搭載し作動させて商品の仕入れに関する取引先を管理すると共に、取引明細を作成し、且つ、残高管理する仕入管理アプリケーションソフトであって、該仕入管理アプリケーションソフトは、仕入取引を行う取引先を管理する仕入先マスタを作成し、更新する仕入先マスタ作成・更新手段と、買掛金の残高管理を行う取引先を管理する支払先マスタを作成し、更新する支払先マスタ作成・更新手段と、代金の支払を行う取引先を管理するまとめ支払先マスタを作成し、更新するまとめ支払先マスタ作成・更新手段とを備え、該仕入管理アプリケーションソフトをコンピュータに搭載して作動させることにより、該仕入先管理アプリケーションソフトは該仕入先マスタ、支払先マスタ及びまとめ支払先マスタを作成し、該マスタを用いて、商品の仕入れに関する取引先を管理すると共に、取引明細を作成し、且つ、残高管理を行うように構成されている仕入管理アプリケーションソフトを提供するものである。
【００２４】
この請求項１記載の発明によれば、前記仕入管理アプリケーションソフトをコンピュータに搭載して作動させることにより、前記仕入先マスタ、支払先マスタ及びまとめ支払先マスタを作成し、該マスタを用いて、買掛金の残高管理を行う取引先と、代金を支払う取引先とが異なる場合に於ても、債権残高管理と代金支払処理とを容易に行うことができる。
【００２５】
又、請求項２記載の発明は、請求項１記載の仕入管理アプリケーションソフトを格納している記憶媒体を提供するものである。
【００２６】
この請求項２記載の発明によれば、該記憶媒体によって請求項１記載の効果を奏する仕入管理アプリケーションソフトを記憶して保存できると共に、該記憶媒体を持ち運び該仕入管理アプリケーションソフトを他のコンピュータに搭載することができる。
【００２７】
更に、請求項３記載の発明は、請求項１記載の仕入管理アプリケーションソフトを搭載し作動させて、仕入先マスタ、支払先マスタ及びまとめ支払先マスタを作成し、更新することにより仕入関係の取引先を管理すると共に、該仕入先マスタ、支払先マスタ及びまとめ支払先マスタを用いて、取引明細を作成し、且つ、残高管理を行うように構成されているコンピュータを提供するものである。
【００２８】
この請求項３記載の発明によれば、請求項１記載の仕入管理アプリケーションソフトを該コンピュータに搭載し作動させて、請求項１記載の発明と略同様の作用効果を得ることができる。
【発明の効果】
【００２９】
本発明の請求項１記載の発明は、仕入先マスタ作成・更新手段と、支払先マスタ作成・更新手段と、まとめ支払先マスタ作成・更新手段とを備えた仕入管理アプリケーションソフトであって、該仕入管理アプリケーションソフトをコンピュータに搭載して作動させることにより、該マスタを作成し、該マスタを用いて、商品の仕入れに関する取引先を管理すると共に、取引明細を作成し、且つ、残高管理を行うように構成されているので、前記仕入管理アプリケーションソフトをコンピュータに搭載して作動させることにより、前記仕入先マスタ、支払先マスタ及びまとめ支払先マスタを作成し、該マスタを用いて、買掛金の残高管理を行う取引先と、代金を支払う取引先とが異なる場合に於ても、債権残高管理と代金支払処理とを容易に行うことができる。
【００３０】
又、請求項２記載の発明は、請求項１記載の仕入管理アプリケーションソフトを格納している記憶媒体であるので、請求項１記載の効果を奏する仕入管理アプリケーションソフトを記憶して保存できると共に、該仕入管理アプリケーションソフトを持ち運び他のコンピュータに搭載することができる。
【００３１】
更に、請求項３記載の発明は、請求項１記載の仕入管理アプリケーションソフトを搭載し作動させて、仕入先マスタ、支払先マスタ及びまとめ支払先マスタを作成し、更新することにより仕入関係の取引先を管理すると共に、該仕入先マスタ、支払先マスタ及びまとめ支払先マスタを用いて、取引明細を作成し、且つ、残高管理を行うように構成されているコンピュータであるので、請求項１記載の仕入管理アプリケーションソフトを搭載し作動させて、請求項１記載の発明と略同様の効果を得ることができる。
【発明を実施するための最良の形態】
【００３２】
買掛金の残高管理を行う取引先と、代金を支払う取引先とが異なる場合に於ても債務残高管理と代金支払処理とを容易にするという目的を、仕入取引を行う取引先を管理する仕入先マスタを作成し、更新する仕入先マスタ作成・更新手段と、買掛金の残高管理を行う取引先を管理する支払先マスタを作成し、更新する支払先マスタ作成・更新手段と、代金の支払を行う取引先を管理するまとめ支払先マスタを作成し、更新するまとめ支払先マスタ作成・更新手段とを備えた仕入管理アプリケーションソフトによって実現した。
【実施例１】
【００３３】
以下、本発明の一実施の形態を図１乃至図６に従って詳述する。尚、説明の都合上、従来例と同一構成部分については同一符号を付してその説明を省略する。図１に於て、２４は従来例の仕入関係取引先マスタ（図８に於て１０）に代えて用いられる仕入関係取引先マスタ２４であり、該仕入関係取引先マスタ２４は仕入取引を行う取引先を管理する仕入先マスタ２５と、買掛金の残高の管理を行う取引先を管理する支払先マスタ２６と、代金の支払いを行う取引先を管理するまとめ支払先マスタ２７とから成る。
【００３４】
図２に於て、２８は従来例の仕入管理アプリケーションソフト（図９に於て８）に代えて用いられる仕入管理アプリケーションソフトであり、該仕入管理アプリケーションソフト２８は前記仕入先マスタ２５を作成、更新する仕入先アプリケーションソフト２９と、前記支払先マスタ２６を作成、更新する支払先アプリケーションソフト３０と、前記まとめ支払先マスタ２７を作成、更新するまとめ支払先アプリケーションソフト３1と、取引明細を作成する取引明細アプリケーションソフト３２と、残高管理を行う残高管理アプリケーションソフト３３とを備えている。
【００３５】
更に、前記仕入先アプリケーションソフト２９は前記仕入先マスタ２５を作成する仕入先マスタ作成手段３４と、該仕入先マスタ２５を更新する仕入先マスタ更新手段３５とを備え、前記支払先アプリケーションソフト３０は前記支払先マスタ２６を作成する支払先マスタ作成手段３６と、該支払先マスタ２６を更新する支払先マスタ更新手段３７とを備え、前記まとめ支払先アプリケーションソフト３１は前記まとめ支払先マスタ２７を作成する支払先マスタ作成手段３８と、該まとめ支払先マスタ２７を更新する支払先マスタ更新手段３９とを備え、更に、前記取引明細アプリケーションソフト３２は取引明細作成手段４０を備え、前記残高管理アプリケーションソフト３３は残高管理手段４１を備えている。
【００３６】
図３（ａ）は前記仕入先マスタ２５のレイアウト及びそのデータ例を示し、項番順に１．仕入先コード、２．仕入先名称情報、３．仕入先住所情報等の情報が格納され、データとして、夫々の項番に「００１」、「Ａ商事」、「品川区」、及び、「００２」、「Ｂ商事」、「中央区」等が入力されている。
【００３７】
図３（ｂ）は前記支払先マスタ２６のレイアウト及びそのデータ例を示し、項番順に１．支払先コード、２．まとめ支払先コード等の情報が格納され、データとして、夫々の項番に「００２」、「００４」、及び、「００３」、「００４」が入力されている。
【００３８】
図３（ｃ）は前記まとめ支払先マスタ２７のレイアウト及びそのデータ例を示し、項番順に１．まとめ支払先コード、２．振込情報等の情報が格納され、データとして、夫々の項番に「００４」、「品川銀行」が入力されている。
【００３９】
図４（ａ）は購買取引が行われた時の取引明細のレイアウト及びそのデータ例を示し、項番順に１．伝票Ｎｏ、２．仕入先コード、３．支払先コード、４．まとめ仕入先コード、５．データ区分、６．金額、７．取引日付の情報が格納され、データとして、夫々の項番に「１０００」、「００１」、「００２」、「００４」、「仕入」、「１００，０００」、「２００４／１／２０」及び「１００１」、「００２」、「００３」、「００４」、「仕入」、「１００，０００」、「２００４／１／２０」が入力されている。
【００４０】
図４（ｂ）は支払が行われた時の同図（ａ）と同じレイアウトの取引明細のレイアウト及びそのデータ例を示し、データとして、夫々の項番に「１００２」、「００１」、「００２」、「００４」、「支払」、「４０，０００」、「２００４／２／１０」、及び、「１００３」、「００１」、「００３」、「００４」、「支払」、「５０，０００」、「２００４／２／１０」が入力されている。
【００４１】
そして、図４（ａ）の取引明細が作成されると、該取引明細に基づき、前記残高管理手段４１によって特定の時点、例えば２００４／２／１０時点で前述した伝票Ｎｏ「１０００」と、伝票Ｎｏ「１００１」からまとめ支払先コード「００４」の支払予定が１００，０００円＋１００，０００円＝２００，０００円と処理され、支払処理が行われる。
【００４２】
又、図４（ｂ）の支払の取引明細が追加されると、前記伝票Ｎｏ「１０００」、伝票Ｎｏ「１００１」、伝票Ｎｏ「１００２」及び伝票Ｎｏ「１００３」から前記支払い先コード「００２」及び「００３」の買掛金の残高管理が行われる。例えば、２００４／２／２０時点で残高管理を行う場合、その時点での残高は支払先コード「００２」については１００，０００円−４０，０００円＝６０，０００円となり、支払先コード「００３」については１００，０００円−５０，０００円＝５０，０００円となる。
【００４３】
而して、前記仕入管理アプリケーションソフト２８をコンピュータ（例えば図７に於て１）に搭載し該仕入管理アプリケーションソフト２８を作動させると、該仕入管理アプリケーションソフト２８によって、仕入取引を行う取引先を管理する前記仕入先マスタ２５と、買掛金の残高の管理を行う取引先を管理する前記支払先マスタ２６と、代金の支払いを行う取引先を管理する前記まとめ支払先マスタ２７とが作成され、且つ、更新され、これらのマスタに基づき前述したように取引明細を作成し、代金の支払いを行う取引先であるまとめ支払先に関する支払処理が行えると共に、買掛金の残高の管理を行う取引先である支払先に関する残高管理が行える。
【００４４】
図５は前述した処理の処理フローを示し、該処理フローに従って説明すると、まず、前記仕入管理アプリケーションソフト２８がインストールされているかどうかをコンピュータの操作者が判断し（ステップＳ１１）、インストールされていない場合は、該仕入管理アプリケーションソフト２８をコンピュータにインストールすると（ステップＳ１２）、前記仕入先マスタ２５、支払先マスタ２６及びまとめ支払先マスタ２７が作成される（ステップＳ１３）。
【００４５】
そして、該マスタ２５、２６及び２７が作成されると、又は、ステップＳ１１に於て前記仕入管理アプリケーションソフト２８がインストールされている場合は、次に操作者が前記マスタ２５，２６，２７の入力、更新を行うかどうかを判断し（ステップＳ１４）、該マスタ２５，２６，２７のデータ入力、更新を行う場合はその処理を行う（ステップＳ１５）。
【００４６】
更に、該処理が終了した時、又は、ステップＳ１４に於て該マスタ２５，２６，２７の入力、更新を行わない場合は操作者が取引明細を作成するかどうかを判断し（ステップＳ１６）、取引明細を作成する場合はその処理を行い（ステップＳ１７）、該処理が終わった時、又は、前記ステップ１６で取引明細を作成しない選択をした場合は、次に操作者が残高管理を行うかどうかを判断し（ステップＳ１８）、残高管理を行う場合は、該取引明細に基づき残高管理を行い（ステップＳ１９）、該残高管理が完了し、或いは、前記ステップＳ１８で残高管理を行わない選択をした場合は全体の処理を終了する。そして、前述の処理は操作者の判断によって適宜繰り返し行われる。尚、前記残高管理は特定の時点で自動で行うように構成しても良い。
【００４７】
斯くして、前記仕入管理アプリケーションソフト２８によって作成される前記仕入先マスタ２５、支払先マスタ２５及びまとめ支払先マスタ２７を用いることによって、買掛金の残高の管理を行う取引先である仕入先と、代金の支払いを行う取引先であるまとめ支払先が異なった場合にも、債務残高管理と代金支払処理とを容易にすることができ、従って、システムの処理は簡単になり、多様な商品の仕入管理が可能になる。
【００４８】
又、図６に於て、４２は前記仕入管理アプリケーションソフト２８を格納した記憶媒体を示し、該記憶媒体４２によって該仕入管理アプリケーションソフト２８を記憶して保存できると共に、該記憶媒体４２を持ち運び該仕入管理アプリケーションソフト２８を他のコンピュータに搭載することができる。
【００４９】
尚、本発明は、本発明の精神を逸脱しない限り種々の改変を為すことができ、そして、本発明が該改変されたものに及ぶことは当然である。
【図面の簡単な説明】
【００５０】
【図１】本発明の一実施の形態を示し、仕入関係取引先マスタの説明図。
【図２】本発明の一実施の形態を示し、仕入管理アプリケーションソフトの説明図。
【図３】（ａ）本発明の一実施の形態を示し、仕入先マスタのレイアウト説明図。（ｂ）本発明の一実施の形態を示し、支払先マスタのレイアウト説明図。（ｃ）本発明の一実施の形態を示し、まとめ支払先マスタのレイアウト説明図。
【図４】（ａ）本発明の一実施の形態を示し、仕入の取引明細説明図。（ｂ）本発明の一実施の形態を示し、支払の取引明細説明図。
【図５】本発明の一実施の形態を示し、仕入管理アプリケーションソフトを用いた処理フロー図。
【図６】本発明の一実施の形態を示し、仕入管理アプリケーションソフトを格納した記憶媒体の説明図。
【図７】従来例を示し、仕入管理アプリケーションソフトを搭載したコンピュータの説明図。
【図８】従来例を示し、仕入関係取引先マスタの説明図。
【図９】従来例を示し、仕入管理アプリケーションソフトの説明図。
【図１０】（ａ）従来例を示し、取引先マスタのレイアウト説明図。（ｂ）従来例を示し、振込情報マスタのレイアウト説明図。
【図１１】（ａ）従来例を示し、仕入の取引明細説明図。（ｂ）従来例を示し、支払の取引明細説明図。
【図１２】従来例を示し、仕入管理アプリケーションソフトを用いた処理フロー図。
【符号の説明】
【００５１】
１    コンピュータ
２５    仕入先マスタ
２６    支払先マスタ
２７    まとめ支払先マスタ
２８    仕入管理アプリケーションソフト
３４    仕入先マスタ作成手段
３５    仕入先マスタ更新手段
３６    支払先マスタ作成手段
３７    支払先マスタ更新手段
３８    まとめ支払先マスタ作成手段
３９    まとめ支払先マスタ更新手段
４２    記憶媒体
【図１】
2005174259.tif 000003
【図２】
2005174259.tif 000004
【図３】
2005174259.tif 000005
【図４】
2005174259.tif 000006
【図５】
2005174259.tif 000007
【図６】
2005174259.tif 000008
【図７】
2005174259.tif 000009
【図８】
2005174259.tif 000010
【図９】
2005174259.tif 000011
【図１０】
2005174259.tif 000012
【図１１】
2005174259.tif 000013
【図１２】
2005174259.tif 000014